(57)【要約】【課題】コストの増大を招くことなく、極めて簡単な手段により、開放時の原稿の吹き飛び等の問題が有効に解決された原稿押えカバーを提供する。【解決手段】原稿画像の画像読み込み機構を備えた画像処理装置のコンタクトガラス面に配置された原稿を覆うように開閉可能に設けられる原稿押えカバーにおいて、該カバーの原稿押え面には、同一の高さを有する多数の突起が分布して設けられていることを特徴とする。【選択図】  図１
2004363754.tif 000002
【特許請求の範囲】
【請求項１】
原稿画像の画像読み込み機構を備えた画像処理装置のコンタクトガラス面に配置された原稿を覆うように開閉可能に設けられる原稿押えカバーにおいて、該カバーの原稿押え面には、同一の高さを有する多数の突起が分布して設けられていることを特徴とする原稿押えカバー。
【請求項２】
前記突起は、原稿押え面の全体にわたって、実質的に均一に分布している請求項１に記載の原稿押えカバー。
【請求項３】
前記突起の高さは、３．０ｍｍ以下である請求項１または２に記載の原稿押えカバー。
【請求項４】
前記突起の先端部は、曲率面となっている請求項１乃至３の何れかに記載の原稿押えカバー。
【発明の詳細な説明】
【０００１】
【発明の属する技術分野】
本発明は、スキャナなどの画像読み取り装置や複写機など、原稿画像の読み込み機構を備えた画像処理装置に使用される原稿カバーに関するものである。
【０００２】
【従来の技術】
上記のような画像処理装置においては、画像読み込み機構を内蔵しており、この画像読み込み機構によって、所定の原稿の画像を読み込み、デジタル情報として、コンピュータ等の情報処理装置に伝達され、或いは電子写真による画像形成機構に伝達されて画像形成が行われる。画像読込み機構は、ＬＥＤなどの光源やＣＣＤ素子を備えており、コンタクトガラス（プラテンガラス）上に置かれた原稿に光を照射し、その反射光を所定の光学系レンズを介してＣＣＤ素子に入射させることにより原稿画像の読み込みが行われる。
【０００３】
画像の読み込みにあたっては、コンタクトガラス上に置かれた原稿が位置ずれしないように且つコンタクトガラスと原稿との間に外部から光が入射しないように、開閉可能な原稿押えカバーが使用されている。即ち、この原稿押えカバーを閉じ、コンタクトガラス上に置かれた原稿を原稿カバーで覆った状態で、ＬＥＤ等の光源からの光照射により画像の読込み操作が行われ、読込み操作の終了後には、原稿カバーが開放され、コンタクトガラス上の原稿が取り出される。
【０００４】
上記のような原稿押えカバーを用いて画像の読込みを行った場合、読込み終了後に原稿押えカバーを開けたときに、原稿がコンタクトガラス面から吹き飛んでしまったりすることがある。このような不都合を防止するために、コンタクトガラス部（プラテンガラス部）に静電気の帯電、除電を行うことのできる静電制御手段を設けることが提案されている（特許文献１参照）。
【０００５】
【特許文献１】
特開１９９６−９１６０４号公報
【０００６】
【発明が解決しようとする課題】
しかしながら、特許文献１で提案されている手段では、装置コストの増大を招き、特に低速複写機や家庭用のスキャナなどの安価なマシンには実用困難である。
【０００７】
従って本発明の目的は、コストの増大を招くことなく、極めて簡単な手段により、開放時の原稿の吹き飛び等の問題が有効に解決された原稿押えカバーを提供することにある。
【０００８】
【課題を解決するための手段】
本発明によれば、原稿画像の画像読み込み機構を備えた画像処理装置のコンタクトガラス面に配置された原稿を覆うように開閉可能に設けられる原稿押えカバーにおいて、該カバーの原稿押え面には、同一の高さを有する多数の突起が分布して設けられていることを特徴とする原稿押えカバーが提供される。
【０００９】
即ち、本発明では、原稿押えカバーの原稿押え面に、同一の高さを有する多数の突起が形成されているため、コンタクトガラス上に置かれた原稿と原稿カバーとが密着して面接触することがない。従って、原稿押えカバーを開けたときに、原稿が原稿カバーに密着して飛んでしまうという不都合が有効に防止される。
【００１０】
本発明においては、
１．前記突起は、原稿押え面の全体にわたって、実質的に均一に分布していること、
２．前記突起の高さは、０．３ｍｍ以下であること、
３．前記突起の先端部は、曲率面となっていること、
が好ましい。
【００１１】
【発明の実施形態】
以下、添付図面に示す具体例に基づいて詳細に説明する。
図１は、本発明の原稿押えカバーを備えた複写機の斜視図であり、
図２は、原稿押えカバーの斜視図であり、
図３は、図２の原稿押えカバーの原稿押え面の部分拡大図であり、
図４は、図３の原稿押えカバーのＡ−Ａ断面図である。
【００１２】
図１を参照して、全体として１で示す本発明の原稿押えカバーは、複写機の機台２の上面に旋回可能に取り付けられるものである。また、機台２の上面には、原稿載置台となるコンタクトガラス３が嵌め込まれており、さらに、複写開始のスタートボタンや、用紙の選択、各種操作（拡大、縮小）などの選択を行うための操作パネルが手前側に配置されている。
【００１３】
即ち、コンタクトガラス３の下側には、所定の光源、光学レンズ、ＣＣＤ素子などを備えた画像読み取り機構が配置されており、コンタクトガラス３上に置かれた原稿に、原稿押えカバー１を閉じた状態で光照射をし、その反射光をＣＣＤ素子で受けることにより原稿画像をデジタル情報として読み取り、この情報に基づいて、それ自体公知の電子写真法により画像形成が行われる。
【００１４】
図２乃至４を参照して、本発明の原稿押えカバー２は、所定の基板１０と、基板１０の内面に設けられた原稿押えシート１２とからなっている。
【００１５】
基板１０には、その縁に取っ手となる切欠き部１４が形成されており、さらに回動可能に取り付けられているヒンジピン１６を有しており、このヒンジピン１６には、支持ロッド１８が固定されている。即ち、支持ロッド１８を、前述した複写機の機台２の上面に形成されている凹部に嵌め込むことにより、原稿押えカバー２は、開閉可能に機台２の上面に取り付けられることとなる。
【００１６】
基板２の内面に設けられている原稿押えシート１２は、コンタクトガラス２に接触するものであるため、各種プラスチックやゴム等の柔軟で且つ白色材料で形成され、接着剤等により基板２の内面に固定されている。
【００１７】
上記原稿シート１２においては、この原稿押えカバー２を閉じたときに、コンタクトガラス３上の原稿と接触する原稿押え面１２ａに、同一の高さを有する多数の突起１５が形成されている。即ち、このような突起１５により、コンタクトガラス３に置かれた原稿全体が原稿押え面１２ａに密着することがなく、原稿カバー１を開けたときに、原稿はコンタクトガラス３上にそのまま保持され、コンタクトガラス３上から原稿が飛んでしまうなどの不都合を有効に防止することができるのである。
【００１８】
本発明において、上記の多数の突起１５は、原稿押え面１２ａのコンタクトガラス３に対応する領域の全体にわたって均一に分布していることが好ましく、例えば、図２〜４から理解されるように、規則的に配列されていることが、原稿の大きさ等によらず、安定した原稿押え機能を確保する上で好ましい。
【００１９】
また、突起１５の数や幅、隣り合う突起１５同士の間隔等は、どのようなサイズの原稿についても或いはどのような位置に置かれた原稿についても、位置ずれを生じることなく安定に押えることができるように適宜設定すればよい。
【００２０】
更に、突起１５の高さも特に制限されるものではないが、一般的には、０．３ｍｍ以下であるのがよい。即ち、突起１５の高さが必要以上に高いと、原稿の端部の捲れや外部からの光の入射などにより、原稿端部の読込みが不安定になるおそれがある。
【００２１】
また、図４から明らかな通り、突起１５の先端１５ａは曲率面となっていることが好ましい。即ち、先端１５ａが鋭利に形成されていると、コンタクトガラス３を傷つけたり、或いは原稿に突起１５の跡がついてしまうなどの不都合を生じ易いからである。
【００２２】
尚、上述した具体例は、原稿押えカバー１を複写機に用いた例であるが、上述した原稿押えカバー１は、当然のことながらスキャナーなどの画像読み取り装置にも適用されることは言うまでもない。
【００２３】
【発明の効果】
本発明の原稿押えカバーによれば、原稿押え面に多数の突起を形成するという極めて簡単な手段により、画像読込み終了後に、該カバーを開けたときに原稿が飛んでしまうなどの不都合を、コストの増大を伴うことなしに、有効に防止することができる。
【図面の簡単な説明】
【図１】本発明の原稿押えカバーを備えた複写機の斜視図。
【図２】原稿押えカバーの斜視図。
【図３】図２の原稿押えカバーの原稿押え面の部分拡大図。
【図４】図３の原稿押えカバーのＡ−Ａ断面図。
【符号の説明】
１：原稿押えカバー
３：コンタクトガラス
１２：原稿押えシート
１２ａ：原稿押え面
１５：突起
【図１】
2004363754.tif 000003
【図２】
2004363754.tif 000004
【図３】
2004363754.tif 000005
【図４】
2004363754.tif 000006